【手続補正書】
【提出日】平成28年4月7日(2016.4.7)
【手続補正１】
【補正対象書類名】明細書
【補正対象項目名】０００６
【補正方法】変更
【補正の内容】
【０００６】
上述の問題点を解決するため、本発明に係る送電装置は以下の構成を備える。すなわち、送電装置であって、所定の送電範囲に存在する物体を検出するためのパルスを出力する出力手段と、前記所定の送電範囲に無線送電を行う送電手段と、前記出力手段によるパルスの出力を行っている際に、物体が前記所定の送電範囲に存在する場合に生ずるインピーダンス変化を検出する検出手段と、前記検出手段によりインピーダンス変化を検出した後に、前記送電手段による送電を行うための通信を行う通信方式に対応していることを示すメッセージを受信する受信手段と、前記受信手段により受信されたメッセージの送信元が無線電力伝送に対応しているか否かを識別する識別手段と、前記受信手段により受信されたメッセージの送信元が無線電力伝送に対応していると前記識別手段により識別された場合、前記受信手段により受信されたメッセージの送信元を前記送電手段による送電の対象とし、前記受信手段により受信されたメッセージの送信元が無線電力伝送に対応していると前記識別手段により識別されなかった場合、前記受信手段により受信されたメッセージの送信元を前記送電手段による送電の対象としない、制御手段と、を有する。
【手続補正２】
【補正対象書類名】特許請求の範囲
【補正対象項目名】全文
【補正方法】変更
【補正の内容】
【特許請求の範囲】
【請求項１】
送電装置であって、
所定の送電範囲に存在する物体を検出するためのパルスを出力する出力手段と、
前記所定の送電範囲に無線送電を行う送電手段と、
前記出力手段によるパルスの出力を行っている際に、物体が前記所定の送電範囲に存在する場合に生ずるインピーダンス変化を検出する検出手段と、
前記検出手段によりインピーダンス変化を検出した後に、前記送電手段による送電を行うための通信を行う通信方式に対応していることを示すメッセージを受信する受信手段と、
前記受信手段により受信されたメッセージの送信元が無線電力伝送に対応しているか否かを識別する識別手段と、
前記受信手段により受信されたメッセージの送信元が無線電力伝送に対応していると前記識別手段により識別された場合、前記受信手段により受信されたメッセージの送信元を前記送電手段による送電の対象とし、前記受信手段により受信されたメッセージの送信元が無線電力伝送に対応していると前記識別手段により識別されなかった場合、前記受信手段により受信されたメッセージの送信元を前記送電手段による送電の対象としない、制御手段と、
を有することを特徴とする送電装置。
【請求項２】
前記検出手段によりインピーダンス変化を検出した後に、前記受信手段が前記メッセージを受信しない場合、前記制御手段は、前記送電手段による送電を制限する
ことを特徴とする請求項１に記載の送電装置。
【請求項３】
前記識別手段は、前記受信手段により受信されたメッセージに無線電力伝送サービスに対応していることを示す情報が含まれている場合、前記受信手段により受信されたメッセージの送信元が無線電力伝送に対応していると識別し、前記受信手段により受信されたメッセージに無線電力伝送サービスに対応していることを示す情報が含まれていない場合、前記受信手段により受信されたメッセージの送信元が無線電力伝送に対応していると識別しない
ことを特徴とする請求項１又は２に記載の送電装置。
【請求項４】
前記通信方式により通信を行う通信手段を更に有し、
前記通信手段は、前記受信手段により受信されたメッセージの送信元が無線電力伝送に対応していると前記識別手段により識別された場合、前記メッセージの送信元と、前記通信方式により接続するための処理を行い、前記受信手段により受信されたメッセージの送信元が無線電力伝送に対応していると前記識別手段により識別されない場合、前記メッセージの送信元と、前記通信方式により接続するための処理を行わない
ことを特徴とする請求項１乃至３の何れか１項に記載の送電装置。
【請求項５】
前記通信手段は、前記メッセージの送信元と、前記通信方式により接続した場合、前記メッセージの送信元から受電能力に関する受電パラメータを受信し、
前記送電手段は、前記受電パラメータに基づいて送電を行う
ことを特徴とする請求項４に記載の送電装置。
【請求項６】
前記制御手段は、前記受電パラメータにより要求される送電が、前記送電手段の送電能力に対応しない場合、前記送電手段による送電を制限する
ことを特徴とする請求項５に記載の送電装置。
【請求項７】
前記通信方式は、Bluetooth（登録商標）である
ことを特徴とする請求項１乃至６の何れか１項に記載の送電装置。
【請求項８】
前記出力手段により出力されるパルスを用いて前記通信方式に用いるアドレス情報を通知する通知手段を更に有する
ことを特徴とする請求項１乃至７の何れか１項に記載の送電装置。
【請求項９】
前記所定の送電範囲に物体が存在しない状態における前記送電手段の出力インピーダンス値である初期インピーダンス値を記憶する記憶手段と、
前記初期インピーダンス値と検出された出力インピーダンス値とが一致せず、かつ、前記パルスの出力の前後で前記出力インピーダンス値に変化が無い場合に前記所定の送電範囲に受電装置と異なる異物が存在すると判定し、前記初期インピーダンス値と検出された出力インピーダンス値とが一致せず、かつ、前記パルスの出力の前後で前記出力インピーダンス値に変化が有る場合に前記所定の送電範囲に受電装置が存在すると判定する、判定手段と、
を更に有する
ことを特徴とする請求項１乃至８の何れか１項に記載の送電装置。
【請求項１０】
前記制御手段は、前記判定手段により前記所定の送電範囲に受電装置が存在すると判定された場合に前記送電手段による無線送電を許可する
ことを特徴とする請求項９に記載の送電装置。
【請求項１１】
前記判定手段により前記所定の送電範囲に異物が存在すると判定された場合にエラー表示を行う表示手段を更に有する
ことを特徴とする請求項９に記載の送電装置。
【請求項１２】
前記送電手段による送電を受電可能な受電装置は、前記パルスの出力を受けるとインピーダンス値を無限大に変更する
ことを特徴とする請求項１乃至１１の何れか１項に記載の送電装置。
【請求項１３】
前記送電手段はＥ級増幅器を含み、
前記送電手段の出力インピーダンス値は前記Ｅ級増幅器に接続された直流電圧源の出力インピーダンス値である
ことを特徴とする請求項９に記載の送電装置。
【請求項１４】
前記送電手段による送電に先立って、前記受信手段により受信されたメッセージの送信元との間での送電の効率を導出する導出手段と、
前記導出手段により導出された効率が所定の閾値以上となるように前記送電手段における共振を制御する共振制御手段と、
を更に有する
ことを特徴とする請求項１乃至１３の何れか１項に記載の送電装置。
【請求項１５】
前記制御手段は、前記導出手段により導出された効率が前記所定の閾値未満であった場合に、前記受信手段により受信されたメッセージの送信元を前記送電手段による送電の対象としない
ことを特徴とする請求項１４に記載の送電装置。
【請求項１６】
前記受信手段により受信される前記メッセージは、Bluetooth（登録商標）により規定されるＩｎｑｕｉｒｙメッセージに対する応答メッセージである
ことを特徴とする請求項１乃至１５の何れか１項に記載の送電装置。
【請求項１７】
前記識別手段は、前記受信手段により受信されたメッセージの送信元が、前記送電装置と共通の認証情報を有している場合に、前記受信手段により受信されたメッセージの送信元が無線電力伝送に対応していると識別する
ことを特徴とする請求項１に記載の送電装置。
【請求項１８】
前記出力手段は、前記送電手段による送電に用いるアンテナを介して、検出用信号であるパルスを出力する
ことを特徴とする請求項１乃至１７の何れか１項に記載の送電装置。
【請求項１９】
送電装置の制御方法であって、
前記送電装置は、
所定の送電範囲に存在する物体を検出するためのパルスを出力する出力手段と、
前記所定の送電範囲に無線送電を行う送電手段と、
を有し、
前記制御方法は、
前記出力手段によるパルスの出力を行っている際に、物体が前記所定の送電範囲に存在する場合に生ずるインピーダンス変化を検出する検出工程と、
前記検出工程によりインピーダンス変化を検出した後に、前記送電手段による送電を行うための通信を行う通信方式に対応していることを示すメッセージを受信する受信工程と、
前記受信工程により受信されたメッセージの送信元が無線電力伝送に対応しているか否かを識別する識別工程と、
前記受信工程により受信されたメッセージの送信元が無線電力伝送に対応していると前記識別工程により識別された場合、前記受信工程により受信されたメッセージの送信元を前記送電手段による送電の対象とし、前記受信工程により受信されたメッセージの送信元が無線電力伝送に対応していると前記識別工程により識別されなかった場合、前記受信工程により受信されたメッセージの送信元を前記送電手段による送電の対象としない、制御工程と、
を含むことを特徴とする送電装置の制御方法。
【請求項２０】
受電装置であって
送電装置からのパルスの出力を検出する検出手段と、
前記パルスの出力が前記検出手段により検出された場合、受電を行うための通信を行う通信方式に対応していることを示すメッセージであって、無線電力伝送サービスに対応していることを示す情報を含むメッセージを前記送電装置に送信する送信手段と、
前記送信手段による送信に応じて前記通信方式により前記送電装置と接続するための処理を行い、当該処理により前記送電装置と接続した場合、受電能力に関する受電パラメータを前記送電装置と通信する通信手段と、
前記通信手段により通信された受電パラメータに基づいて供給される電力であって、前記送電装置から無線により供給される電力を受電する受電手段と、
を有することを特徴とする受電装置。
【請求項２１】
前記検出手段は、前記パルスに含まれる識別情報を検出し、
前記受電装置は、当該識別情報に基づいて前記送電装置を識別する
ことを特徴とする請求項２０に記載の受電装置。
【請求項２２】
前記送電装置から送電開始通知を受信した場合、前記受電手段が受電に用いるアンテナと、
前記受電手段が受電した電力を消費する負荷とを接続させる接続手段と、
を更に有することを特徴とする請求項２０又は２１に記載の受電装置。
【請求項２３】
前記送信手段により送信される前記メッセージは、Bluetooth（登録商標）により規定されるＩｎｑｕｉｒｙメッセージに対する応答メッセージである
ことを特徴とする請求項２０乃至２２の何れか１項に記載の受電装置。
【請求項２４】
前記通信方式は、Bluetooth（登録商標）である
ことを特徴とする請求項２０乃至２３の何れか１項に記載の受電装置。
【請求項２５】
前記通信手段により通信される前記受電パラメータは、要求する電力量又は前記受電手段の許容可能なピーク電圧である
ことを特徴とする請求項２０乃至２４の何れか１項に記載の受電装置。
【請求項２６】
前記送電装置から受信された指示に従ってインピーダンスを変更する変更手段を更に有する
ことを特徴とする請求項２０乃至２５の何れか１項に記載の受電装置。
【請求項２７】
前記受電手段による受電が行われていることを示す情報を表示する表示手段を更に有する
ことを特徴とする請求項２０乃至２６の何れか１項に記載の受電装置。
【請求項２８】
前記受電手段による受電が行われていることを示す情報を表示する表示手段を更に有する
ことを特徴とする請求項２０乃至２７の何れか１項に記載の受電装置。
【請求項２９】
前記受電手段による受電を終了する場合、前記送電装置に送電の停止を要求する要求信号を送信する手段を更に有する
ことを特徴とする請求項２０乃至２８の何れか１項に記載の受電装置。
【請求項３０】
受電装置の制御方法であって、
送電装置からのパルスの出力を検出する検出工程と、
前記パルスの出力が前記検出工程により検出された場合、受電を行うための通信を行う通信方式に対応していることを示すメッセージであって、無線電力伝送サービスに対応していることを示す情報を含むメッセージを前記送電装置に送信する送信工程と、
前記送信工程による送信に応じて前記通信方式により前記送電装置と接続するための処理を行い、当該処理により前記送電装置と接続した場合、受電能力に関する受電パラメータを前記送電装置と通信する通信工程と、
前記通信工程により通信された受電パラメータに基づいて供給される電力であって、前記送電装置から無線により供給される電力を受電する受電工程と、
を含むことを特徴とする受電装置の制御方法。